(57)【要約】【課題】軒樋継手で軒樋を接続する施工までの間に継手クリップが紛失するのを防止することができる軒樋継手を提供することを目的とする。【解決手段】前耳部１４及び後耳部１５が形成された軒樋１、１同士が長手方向端部を互いに突き合わせた状態で配設され、突き合わせられた軒樋１、１の間に跨がって軒樋１の内周面に沿うように装着される内継手方式の軒樋継手において、該軒樋継手２は軒樋１の後耳部１５と継手本体部２０の後側壁２３の上端とが継手クリップ３を介して保持されるもので、継手本体部３０の後側壁２３の内面に継手クリップ３が係脱自在に取付けられる係止凸部２７が形成されている。【選択図】      図１
2005155250.tif 000002
【特許請求の範囲】
【請求項１】
前耳部及び後耳部が形成された軒樋同士が長手方向端部を互いに突き合わせた状態で配設され、突き合わせられた軒樋の間に跨がって軒樋の内周面に沿うように装着される内継手方式の軒樋継手において、該軒樋継手は軒樋の後耳部と継手本体部の後側壁の上端とが継手クリップを介して保持されるもので、継手本体部の後側壁又は底壁の内面に継手クリップが係脱自在に取付けられる係止凸部が形成されていることを特徴とする軒樋継手。
【発明の詳細な説明】
【技術分野】
【０００１】
本発明は、軒樋の内側に装着して軒樋を接続する内継手方式の軒樋継手に関する。
【背景技術】
【０００２】
従来、軒樋の内側に内側に装着して軒樋を接続する内継手方式の軒樋継手としては、例えば、図８に示すように、外面形状が軒樋ａの内面形状にほぼ一致する形状に屈曲成形された薄肉の板状部材から構成された軒樋継手ｂが知られている（例えば、特許文献１を参照。）。
【０００３】
この場合、軒樋ａを内継手方式の軒樋継手ｂで接続するには、外周面に接着剤ｃが塗布された軒樋継手ｂを、突き合わせられた軒樋ａの間に跨がって、軒樋ａの後耳部ｄに軒樋継手ｂの係止凸部ｅを引っ掛けて、矢印ｓの方向に押し込むようにして嵌め込み、軒樋ａの前耳部ｆと軒樋継手ｂの係止凹部ｇを係合させて軒樋ａの内周面に沿うように取付けて接続している。
【０００４】
ところで、従来の軒樋の接続構造にあっては、図９(a) に示すように、軒先に取付けられた軒樋吊り具ｋに軒樋ａを取付けるときに軒先と軒樋ａとの間の狭い空間で後耳部ｄを軒樋吊り具ｋの後耳保持部ｉに取付けているが、内方に向けて開口部ｈが設けられた軒樋ａの場合では、後耳部ｄを後耳保持部ｉに装着するときに、図９(b) に示すように、軒樋吊り具ｋの後耳保持部ｉの押さえバネｊが開口部ｈに挿入され引っ掛かった状態で係止されることがある。そのため、軒樋吊り具ｋへの取付けが完了したものと勘違いしてそのまま使用され、使用中に、軒樋ａが軒樋吊り具ｋから外れるということがある。
【０００５】
そこで、後耳部ｄが軒樋吊り具ｋの後耳保持部ｉに確実に係合される軒樋として、軒樋の後側壁の上端部に後方もしくは前方に向けて膨出した係止突起部が形成されたものが使用されている。この軒樋は後耳部に開口部ｈが設けられていない構造であるから軒樋吊り具ｋの後耳保持部ｉの押さえバネｊに引っ掛かることがない。
【０００６】
しかしながら、後耳部の係止突起部が後方に向いている軒樋の場合は、軒樋継手の後側壁の上端を係止することができない。また、後耳部の係止突起部が前方に向いている軒樋の場合は、係止突起部の基部に当接して引っ掛けることができたとしても、軒樋を広げて軒樋継手を嵌めるとき軒樋継手の後側壁の上端が基部から離れて浮き上がり、軒樋の後側壁と軒樋継手の後側壁の接着が不十分となることがある。
【０００７】
その結果、接続された軒樋と軒樋継手と間に隙間が生じることになるので、この隙間から軒樋内を流れる雨水が浸入して、突き合わせられた軒樋の継ぎ目から雨水が漏れて軒下に落下するという問題があった。
【０００８】
そこで、本出願人は軒樋継手における継手本体部の後側壁の上端が軒樋の後側壁から浮き上がるのを防止するために、軒樋の後耳部と継手本体部の後側壁の上端とを継手クリップ（把持具）で保持する発明を出願した（特許文献２を参照）。
【特許文献１】特開平３─２８４４７号公報（第１図及び第２図）
【特許文献２】特願２００２─３４２９８５号
【発明の開示】
【発明が解決しようとする課題】
【０００９】
ところで、軒樋継手における継手本体部の後側壁を保持する継手クリップはポリエチレン製の小袋に入れられて、軒樋継手とともに工場から出荷されることが考えられる。工事店においては必要数量の軒樋や軒樋継手に対してそれぞれ小袋入の継手クリップを軒樋継手とともに所要量セット梱包して施工現場に持ち込み、組み立て工事に使用される。
しかしながら、工事店において軒樋継手の所要数量に対して継手クリップを必要な数量を入れ損なったりして施工現場に持ち込んだりする虞れがある。また、施工現場で小袋を開梱して軒樋継手で軒樋を接続するときに、継手クリップが紛失し易いという問題の虞がある。
【００１０】
本発明は、このような事情に鑑みてなされたものであって、軒樋継手で軒樋を接続する施工までの間に継手クリップが紛失するのを防止することができる軒樋継手を提供することを目的としている。
【課題を解決するための手段】
【００１１】
上記目的を達成するために、請求項１に記載の発明に係わる軒樋継手は、前耳部及び後耳部が形成された軒樋同士が長手方向端部を互いに突き合わせた状態で配設され、突き合わせられた軒樋の間に跨がって軒樋の内周面に沿うように装着される内継手方式の軒樋継手において、該軒樋継手は軒樋の後耳部と継手本体部の後側壁の上端とが継手クリップを介して保持されるもので、継手本体部の後側壁又は底壁の内面に継手クリップが係脱自在に取付けられる係止凸部が形成されていることを特徴とした。
【発明の効果】
【００１２】
請求項１の軒樋継手では、継手本体部の後側壁又は底壁の内面に継手クリップが係脱自在に取付けられる係止凸部が形成されているので、係止凸部に継手クリップを係合して施工現場に搬入することができ、継手クリップを小袋に入れて軒樋継手とセット梱包する必要がない。また、施工現場では、軒樋継手で軒樋同士を接続するときに継手クリップを軒樋継手から取外し、この継手クリップを軒樋の後耳部に冠着し、軒樋同志を突き合わて軒樋の内周面に沿うように軒樋継手を装着すれば、軒樋の後耳部と継手本体部の後側壁の上端とを継手クリップで保持することができ、継手クリップを紛失することがなく施工作業が順調に行える。係止凸部が継手本体部の内面に形成されているので、軒樋の接続に際して何ら問題は生じない。
【発明を実施するための最良の形態】
【００１３】
次に、本発明の実施の形態の一例を図面に基づいて説明する。
図１〜図６は本発明軒樋継手の一実施例を示すもので、図１は本発明軒樋継手に継手クリップを係脱自在に取付ける状態を説明する図で、同図(a) は継手クリップの取付ける状態を示す斜視図であり、同図(b) は同じく継手クリップが取付けられた状態を示す斜視図、図２は本発明軒樋継手に継手クリップが取付けられた状態を示す拡大断面図、図３は継手クリップを示す拡大側面図、図４は本発明軒樋継手が使用される軒樋の側面図、図５(a) 〜(c) は継手クリップの使用状態を示す説明図、図６は同じく継手クリップが取付けられた軒樋を軒樋継手で接続する状態を説明する側面図である。
【００１４】
先ず、本発明の軒樋継手が適用される軒樋の接続構造について説明する。
図５〜図６において、１は軒樋であり、この軒樋１同士が長手方向端部を互いに突き合わせた状態で配設され、突き合わせられた軒樋１の間に跨がって軒樋１の内周面に沿うように軒樋継手２が設けられており、軒樋１の後耳部１５と軒樋継手２における継手本体部２０の後側壁２３の上端に形成された後耳係止部２５とが継手クリップ３を介して保持されている。
【００１５】
軒樋１は硬質塩化ビニル樹脂製の押出成形品で、図４及び図６に示すように、樋本体部１０が、平坦な底壁１１の前側部から前側壁１２が立設され、かつ底壁１１の後側部から後側壁１３が立設されて溝形断面に形成されている。尚、前側壁１２は外側に向けて段部１２１が形成されるとともに若干膨出して形成され、前記後側壁１３は底壁１１に対してほぼ直角に形成されている。
【００１６】
また、前記前側壁１２の上端には前耳部１４が形成されており、この前耳部１４は内面側に開口した係合溝１４１が形成されている。この係合溝１４１の開口部上縁には係止爪１４２が下向きに形成されている。更に、後側壁１３の上端には後耳部１５が形成されており、この後耳部１５は、後方に向けて膨出した係止突起部１５１が形成され、係止突起部１５１の下側縁に下向きに突出した突起１５２が形成されている。
尚、前記前耳部１４の係合溝１４１及び後耳部１５の係止突起部１５１は、軒樋１を軒樋吊り具（図示しない）に取付ける際の取付用溝と突起となる。
【００１７】
軒樋継手２は、上記軒樋１と同様に硬質塩化ビニル樹脂製のものであり、図６に示すように、その外面形状が樋本体部１０の内面形状とほぼ合致する形状に形成された溝形状の継手本体部２０と、この継手本体部２０の上端に設けられた前耳係止部２４と後耳係止部２５とで構成されている。
【００１８】
継手本体部２０は、平坦な底壁２１と、この底壁２１の両側部から立設された前側壁２２および後側壁２３とで構成されている。前側壁２２は底壁２１から外側に向けて若干傾斜して形成され、途中部で段部２２１が前方に若干膨出して形成されている。後側壁２３は底壁２１に対してほぼ直角に形成されており、後側壁２３の内面に継手クリップ３が係脱自在に取付けられる係止凸部２７が形成されている。
この係止凸部２７は長手方向に水平なレール部２７１とレール部２７１の両端に設けられたストッパー部２７２とから形成されている。ストッパー部２７２は継手クリップ３が抜けるのを防止するためのものである。
【００１９】
前耳係止部２４は継手本体部２０の前側壁２２の上端部から外側方に断面逆Ｊ字状に湾曲した係止片２４１を設けることにより係合溝２４２が形成されたものである。
後耳係止部２５は後側壁２３の壁厚と同じ寸法の上端面がそのまま適用されているが肉厚もしくは肉薄であってもよい。なお、２６は立ち上がり片であり、冬季の積雪荷重によって軒樋１の前耳部１４と軒樋継手２の前耳係止部２４との係合が外れるの防止するものである。
【００２０】
継手クリップ３は、軒樋継手２と同様に硬質塩化ビニル樹脂製のものであり、軒樋１の後耳部１５に冠着して取付けられるもので、図３及び図６に示すように、後方に向けて膨出した係止突起部１５１を嵌入する開口溝３０が設けられている。この開口溝３０は下方に開口されたもので、上側片３１と、この上側片３１の後端から屈曲し湾曲して垂下する後垂下片３２と、上側片３１の前端から屈曲して垂下する前垂下片３３とから形成され、更に、後垂下片３２の下端には内方に反り上がった係止爪３４が形成され、前垂下片４３の下端から前方に向けて係止片３５が突出している。
なお、後垂下片３２と前垂下片３３は下端の挿入隙間３０ｓが幅狭となっており、挿入隙間３０ｓを押し広げるとバネ片のように弾性的に変形することができる。
【００２１】
軒樋１の後耳部１５に継手クリップ３を冠着したときに、軒樋１の後耳部１５の内面と継手クリップ３の係合片３５とで係合溝３６が形成されることになる。この係合溝３６に継手本体部２０の後耳部係止部２５を引っ掛けて、後耳係止部２５を中心として継手本体部２０を軒樋１の内方に押し込み軒樋継手２を嵌め込めば、軒樋１、１の接続を行うことができる。
【００２２】
次に、本発明の軒樋継手の使用方法および作用について説明する。
先ず、図１(a) に示すように、軒樋継手２の後側壁２３の上端に一対の継手クリップ３を挿着する。すると、図１(b) 及び図２に示すように、継手クリップ３の後垂下片３２と前垂下片３３との間に軒樋継手２の後側壁２３の上端が挿入される。
【００２３】
その結果、後垂下片３２の係止爪３４が軒樋継手２の後側壁２３の上端に形成されている係止凸部２７のレール部２７１に係合されて、軒樋継手２の後側壁部２３の上端から簡単に抜けることがない。
【００２４】
このように、軒樋継手２と一対の継手クリップ３、一梱包単位のセット品として出荷され、軒樋の施工現場に搬入される。施工現場では、軒樋継手２で軒樋１を接続する前に、軒樋継手２の後側壁部２３の上端から一対の継手クリップ３を取り外す。このとき、係止凸部２７に係合されている係止爪３４を外すには係止爪３４をこじ開けるようにして行えばよい。
【００２５】
次に、図５(a) 〜(b) に示すように、継手クリップ３の開口溝３０の内周面に必要に応じて接着剤を塗布し、この開口溝３０内に後耳部１５の係止突起部１５１を嵌入すると、軒樋１の後耳部１５には継手クリップ３が冠着され、軒樋１と継手クリップ２とが強固に接着する。
また、図６に示すように、軒樋１の後耳部１５に継手クリップ３を冠着すると、軒樋１の後耳部１５の内面と継手クリップ３の係合片３５とで係合溝３６が形成されることになる。
【００２６】
最後に、図６に示すように、軒樋継手２の外周面に必要に応じて接着剤を塗布して、継手本体部２０の後側壁２３の上端に形成された後耳係止部２５を係合片３５に引っかけて、後耳係止部２５を中心として継手本体部２０を時計回りと反対方向に回転させ、軒樋１の内方に押し込むようにして嵌め込み、係合溝３６に後側壁２３の上端（後耳係止部２５）を挿着した状態で係止させる。このとき、図６に示すように、軒樋継手２の前耳係止部２４を軒樋１の前耳部１４の係合溝１４１に嵌合して係止する。
【００２７】
以上、本発明実施例を図面に基づいて説明してきたが、具体的な構成はこの実施例の限られるものではなく本発明の要旨を逸脱しない範囲の設計変更等があっても本発明に含まれる。
【００２８】
例えば、上記実施例において、軒樋継手２の後側壁２３に継手クリップ３が係脱自在に取付けられる係止凸部２７を形成したが、図７(a) 〜(b) に示すように、軒樋継手２の底壁２１の端部内面に継手クリップ３が係脱自在に取付けられる係止凸部２７ａを形成してもよい。
【図面の簡単な説明】
【００２９】
【図１】本発明軒樋継手に継手クリップを係脱自在に取付ける状態を説明する図で、同図(a) は継手クリップの取付ける状態を示す斜視図であり、同図(b) は同じく継手クリップが取付けられた状態を示す斜視図である。
【図２】本発明軒樋継手に継手クリップが取付けられた状態を示す拡大断面図である。
【図３】継手クリップを示す拡大側面図である。
【図４】本発明継手クリップを示す拡大斜視図である。
【図５】本発明軒樋継手が使用される軒樋の側面図である。
【図６】同じく継手クリップが取付けられた軒樋を軒樋継手で接続する状態を説明する側面図である。
【図７】本発明軒樋継手の変形例を説明する図で、同図(a) は継手クリップの取付ける状態を示す斜視図、同図(b) は同じく継手クリップが取付けられた状態を示す斜視図である。
【図８】軒樋継手で軒樋を接続する状来例を説明する説明図である。
【図９】同上従来例において、軒樋を軒樋吊り具に取付ける状態を説明する説明図である。
【符号の説明】
【００３０】
１                軒樋
１１              底壁
１２              前側壁
１３              後側壁
１４              前耳部
１５              後耳部
１５１            係止突起部
２                軒樋継手
２０              継手本体部
２１              底壁
２３              後側壁
２５              後耳係止部
２７              係止凸部
３                継手クリップ
３０              開口溝
３１              上側片
３２              後垂下片
３２              前垂下片
３４              係止爪
３５              係止片
３６              係合溝
【図１】
2005155250.tif 000003
【図２】
2005155250.tif 000004
【図３】
2005155250.tif 000005
【図４】
2005155250.tif 000006
【図５】
2005155250.tif 000007
【図６】
2005155250.tif 000008
【図７】
2005155250.tif 000009
【図８】
2005155250.tif 000010
【図９】
2005155250.tif 000011